(57)【要約】【課題】電力設備の個別の設備単位や作業単位の実態把握だけでなく、様々な作業管理や費用管理とも連系した情報活用可能な電力設備管理システムを得ることである。【解決手段】電力設備の設備工事の計画から完了に至るまでの一連の工事内容を工事件名をキーに管理する工事管理部と、電力設備の保守・保全に関わる保全データに基づいて設備実態を管理する保全管理部と、設備工事の工事件名毎に工事データを管理する工事件名管理部と、電力設備の設備データを階層化して体系化して管理する設備体系管理部と、設備体系管理部で体系化された設備体系化データに連系させて工事件名管理部で管理する工事件名の工事データまたは保全管理部で管理する設備の保守・保全の作業内容を作業単位で管理する作業件名管理部とを備える。【選択図】  図１
2011059756.tif 000002
【特許請求の範囲】
【請求項１】
電力設備の設備工事の計画から完了に至るまでの一連の工事内容を工事件名をキーに管理する工事管理部と、電力設備の保守・保全に関わる保全データに基づいて設備実態を管理する保全管理部と、前記設備工事の工事件名毎に工事データを管理する工事件名管理部と、電力設備の設備データを階層化して体系化して管理する設備体系管理部と、
前記設備体系管理部で体系化された設備体系化データに連系させて前記工事件名管理部で管理する工事件名の工事データまたは前記保全管理部で管理する設備の保守・保全の作業内容を作業単位で管理する作業件名管理部とを備えたことを特徴とする電力設備管理システム。
【請求項２】
前記作業件名管理部は、前記設備体系化管理部で階層化して体系化された設備体系化データに保全データの作業実績や懸案データを関連づけて、設備機器の取外し可能な単位で登録し、その機器や部位単位で撤去・流用した場合には、その機器や部位に関連付けされた作業実績や懸案データも流用先に引き継いだ管理を行うことを特徴とする請求項１記載の電力設備管理システム。
【請求項３】
前記作業件名管理部は、前記設備体系化管理部で階層化して体系化された設備体系化データに保全データの作業実績を関連づけて、設備機器や部位単位で作業内容を登録し、設備機器の作業履歴一覧を管理することを特徴とする請求項１記載の電力設備管理システム。
【請求項４】
前記保全管理部は、前記設備体系化管理部で階層化して体系化された設備体系化データに保全データの懸案データを関連づけて、設備機器や部位単位で作業内容を登録し、その懸案の度合いを指標で示しランク付けして管理することを特徴とする請求項１記載の電力設備管理システム。
【請求項５】
前記作業件名管理部は、前記設備体系化管理部で階層化して体系化された設備体系化データに保全データの作業実績や懸案データを関連づけて、設備機器や部位単位で作業件名に含まれる個別の作業内容毎に登録し、個別の作業内容の項目をキーとして管理することを特徴とする請求項１記載の電力設備管理システム。
【請求項６】
前記個別の作業内容の項目は、業者、作業日、概算費用であることを特徴とする請求項５記載の電力設備管理システム。
【発明の詳細な説明】
【技術分野】
【０００１】
本発明は、電力会社の設備データを管理する電力設備管理システムに関する。
【背景技術】
【０００２】
電力会社の設備の管理は、資産の単位や費用の請求・精算の単位での資産費用管理が中心であり、設備の実態に合わせた実態管理はそれぞれ別個に行われている。
【０００３】
図８は、従来の電力設備管理システムの構成図である。電力会社の設備データは設備データ格納部１１に格納され、設備を保全した際の保全データは保全データ格納部１２に保存されている。保全管理部１３は、設備データ格納部１１の設備データ及び保全データ格納部１２の保全データに基づいて、設備の保全計画、懸案管理、点検管理を管理することになる。
【０００４】
一方、工事データ格納部１４には設備工事の工事データが格納され、工事管理部は工事データ格納部１４の工事データに基づいて、設備の工事契約、工事伺書、工事請求などを管理することになる。また、工事件名管理部１６は工事件名毎に工事データを管理する。このように、保全管理部１３と工事管理部１５とは別々のシステムとして構築されている。
【０００５】
ここで、設備保有者が設備評価及び補修等を行うものとして、設備管理事業者、設備保有者、設備供給者、及び部品供給者が設備情報や点検情報等を通信手段を介して共有化し、早期に的確な設備の補修方法を見い出して設備の効率的な保全が行えるようにしたものがある（例えば、特許文献１参照）。
【先行技術文献】
【特許文献】
【０００６】
【特許文献１】特開２００２−１５７３６０号公報
【発明の概要】
【発明が解決しようとする課題】
【０００７】
しかし、特許文献１のものでは設備の効率的な保全を行うものであり、設備主管担当ごとの管理を統一しようとするものではない。電力会社の設備管理は、設備主管担当ごとに管理の運用形態が区々であることが多い。また、設備の属性や仕様を管理するシステムはどこにも存在しているが、縦割り組織の部署ごとの都合で作られることが多く、同じ一つの方針・考えになっていないために、部門全体でみると非効率をもたらしている。
【０００８】
例えば、設備の切り口から、建設・運用・保守の経緯、将来の予定や実績，あるいはコストなどを総合的に把握しようとすると、現状では、作業毎に設備の捉え方が異なるため、集約してみることが困難である。また、作業間にデータのつながりがなく、個々の作業毎のデータ分析しかできない。
【０００９】
本発明の目的は、電力設備の個別の設備単位や作業単位の実態把握だけでなく、様々な作業管理や費用管理とも連系した情報活用可能な電力設備管理システムを得ることである。
【課題を解決するための手段】
【００１０】
本発明の電力設備管理システムは、電力設備の設備工事の計画から完了に至るまでの一連の工事内容を工事件名をキーに管理する工事管理部と、電力設備の保守・保全に関わる保全データに基づいて設備実態を管理する保全管理部と、前記設備工事の工事件名毎に工事データを管理する工事件名管理部と、電力設備の設備データを階層化して体系化して管理する設備体系管理部と、前記設備体系管理部で体系化された設備体系化データに連系させて前記工事件名管理部で管理する工事件名の工事データまたは前記保全管理部で管理する設備の保守・保全の作業内容を作業単位で管理する作業件名管理部とを備えたことを特徴とする。
【発明の効果】
【００１１】
本発明によれば、電力設備の個別の設備単位や作業単位の実態把握だけでなく、様々な作業管理や費用管理とも連系した情報活用可能な電力設備管理システムを得ることができる。
【図面の簡単な説明】
【００１２】
【図１】本発明の実施の形態に係わる電力設備管理システムの構成図。
【図２】本発明の実施の形態における設備体系管理部で管理する設備体系化データの一例の説明図。
【図３】本発明の実施の形態における作業件名管理部で管理する作業件名管理データの一例の説明図。
【図４】本発明の実施の形態における作業件名管理部で保全データ格納部に格納された保全データを管理する場合の一例の説明図。
【図５】本発明の実施の形態における作業件名管理部で保全データ格納部に格納された保全データを管理する場合の他の一例の説明図。
【図６】本発明の実施の形態における保全管理部で保全データ格納部に格納された保全データを管理する場合の一例の説明図。
【図７】本発明の実施の形態における作業件名管理部で保全データ格納部に格納された保全データを管理する場合の別の他の一例の説明図。
【図８】従来の電力設備管理システムの構成図。
【発明を実施するための形態】
【００１３】
以下、本発明の実施の形態を説明する。図１は本発明の実施の形態に係わる電力設備管理システムの構成図である。本発明の電力設備管理システムは、図８に示した従来例に対し、電力設備の設備データを階層化して体系化して管理する設備体系管理部１７と、設備体系管理部１７で体系化された設備データに連系させて工事件名管理部１６で管理する工事件名の工事データまたは保全管理部１３で管理する設備の保守・保全の作業内容を作業単位で管理する作業件名管理部１８とを追加して設けたものである。図８と同一要素には、同一符号を付し重複する説明は省略する。
【００１４】
図１において、保全管理部１３と工事管理部１５との間に、設備体系管理部１７と作業件名管理部１８とを設けることで、保全管理部１３と工事管理部１５とで取り扱うデータを連系可能としている。
【００１５】
設備体系管理部１７は、電力設備の設備データを階層化して体系化して管理するものであり、設備データ格納部１１に格納された設備データを体系化して管理する。図２は設備体系管理部１７で管理する設備体系化データの一例の説明図である。
【００１６】
図２に示すように、設備体系管理部１７は設備の構造を管理し易い単位に抽象化し体系化して設備体系化データ１９として管理する。設備体系化データ１９は、機器が設置される場所に応じて、機器（機種）２０、第１階層部位２１、第２階層部位２２のように体系化されたデータである。すなわち、設備を管理する基本的な単位は、工事計画を立てる時にも基準となる機器２０のレベルであるが、その設備を複数の（取り外し可能な）構成要素で管理したい場合は、その下に第１階層部位２１を設け、さらに、細かく管理したい場合は、さらに下部に第２階層部位２２を増やす形で体系されている。図２では、第２階層部位２２まで階層化しているが、さらに細かく階層を体系化することも可能である。
【００１７】
例えば、主機器＃１はＡ発電所に設置され、本体＃１と装置Ａとの構成要素で管理されることを示している。同様に、主機器＃２はＡ発電所に設置され、第１階層部位として、本体＃２と装置Ｂと装置Ｃとの構成要素で管理され、さらに第２階層部位として、装置Ｃは装置Ｃ１と装置Ｃ２との構成要素で管理されることを示している。
【００１８】
次に、作業件名管理部１８は、設備体系管理部１７で体系化された設備体系化データ１９に連系させて工事件名管理部１６で管理する工事件名の工事データまたは保全管理部１３で管理する設備の保守・保全の作業内容を作業単位で管理するものである。図３は作業件名管理部１８で管理する作業件名管理データの一例の説明図である。
【００１９】
図３に示すように、作業件名管理データは作業の単位を表わす概念であり、作業を一意に特定するデータ、作業件名２３、業者（作業者）２４、作業日（日付）２５、作業内容２６などで構成され、工事件名や設備体系化データ１９に連系させてに連系させて管理される。
【００２０】
例えば、作業名１〜ｎは、設備体系管理部で管理される設備体系化データ１９に関係づけされており、また、作業件名１、２、３は工事件名１として関係付けされている。このように、一緒に行う作業（複数の作業件名１、２、３）をまとめて工事件名１として関係付けし、工事管理部１５の実施単位の件名として作業件名管理部１８でまとめて管理する。また、作業名２は、主機器＃１の装置Ａの点検作業の情報であり、設備体系管理部で管理される設備体系化データ１９に関係づけされている。
【００２１】
このように、設備体系管理部１７と作業件名管理部１８とを設けることにより、工事管理部１５と保全管理部１３との作業は、一つの設備データを共通的に一元的に利用することができる。また、工事件名で各作業の関連付けが必要な場合などは、作業件名側の情報を参照できるようになることから、工事管理部１５と保全管理部１３との両作業が、それぞれで入力するデータ２重入力や２重管理を排除することができる。また、共有化される一つのマスタデータを皆が利用していくことにより、信頼度の高いデータベースを維持・運用していくことが可能となる。
【００２２】
具体的には、新設の設備は工事を担当する人によって形作られ、竣工時に運用開始段階の設備状態となるが、設備を保全するのに適した設備体系管理部１７で登録しておくことで、工事担当者と保全担当者との一元的な利用が可能となる。また、その一元的に使用する設備体系管理部１７に沿って、補修作業などの作業件名管理部１８を立案し、その費用伺いなどをする際には、同じ機器に関連する作業は纏めて工事件名として扱い、仮に計画変更になった場合でも、容易にグルーピングを見直せることから、合理的な計画立案などが行えるようになる。
【００２３】
図４は、作業件名管理部１８で保全データ格納部１２に格納された保全データ２７を管理する場合の一例の説明図である。作業件名管理部１８は、設備体系化管理部１７で階層化して体系化された設備体系化データ１９に保全データの作業実績や懸案データを関連づけて、工事件名の作業を管理する。図４では、作業を設備機器の取外し可能な単位で登録し、その機器や部位単位で撤去・流用した場合には、その機器や部位に関連付けされた作業実績や懸案データも流用先に引き継いだ管理を行う場合を示している。
【００２４】
設備体系管理部１７に沿って作られた設備体系化データ１９は、同じ機器２０であればその構造は同じになることから、実際の主機器や各階層の部位の撤去・流用と同じように、設備体系化データ１９の異動も行うことができる。
【００２５】
具体的には、工事件名Ａで主機器＃１の配下の装置Ａを撤去して、工事件名Ｂで主機器＃２の配下の装置Ａとして流用配備する場合には、設備体系化データ１９として異動が可能となるが、その際には、その装置Ａの過去の保安データ２７である作業実績２や作業懸案１も同様に、主機器＃２側に併せて紐付けすることが可能となる。つまり設備体系化データ１９とそれに紐づく実績データとは、セットの形で引き継いで行くことが可能となる。
【００２６】
このように設備を取外し可能な単位で登録し管理していくことで、その機器や部位の単位で撤去・流用した場合には、その機器や部位に関連付けされた作業実績や懸案データ（作業履歴情報）も流用先に引継ぐことができる。
【００２７】
図５は、作業件名管理部１８で保全データ格納部１２に格納された保全データ２７を管理する場合の他の一例の説明図である。作業件名管理部１８は、設備体系化管理部１７で階層化して体系化された設備体系化データ１９に保全データの作業実績を関連づけて、設備機器の作業履歴一覧を管理する。図５では、設備機器や部位単位で作業内容を登録し、設備機器の作業履歴一覧２８を管理する場合を示している。
【００２８】
具体的には、設備体系管理部１７の設備体系化データ１９に、保守データ２７の作業実績、定期点検、事故、作業懸案等のイベント情報を関連づけする。また、保全データのイベント情報として、日付、種別、作業件名、概要などを共通的に持たせる。従って、設備に関連する作業の実施結果や計画は、その事象毎に設備を特定するキーと、種別、作業件名、概要キーとしてセットで蓄積される。そして、機器単位で、その設備に関するイベント情報を、日付、種別、作業件名、概要などキーにして並べ替えることで、作業履歴一覧２８へ展開できる。また、ある設備キーをもってこれらの事象を抽出して横並びで見せることができる。これにより、その機器の誕生から現在に至るまでの履歴・変遷を示すことができ、その設備の履歴や生い立ちがわかる設備カルテ的なことを実現できる。
【００２９】
図６は、保全管理部１３で保全データ格納部１２に格納された保全データ２７を管理する場合の一例の説明図である。保全管理部１３は、設備体系化管理部１７で階層化して体系化された設備体系化データ１９に保全データの懸案データを関連づけて懸案を管理する。図６では、設備機器や部位単位で作業内容を登録し、その懸案の度合いを指標で示しランク付けして管理する場合を示している。
【００３０】
保全管理部１３は懸案管理機能を使って機器毎に、巡視・点検で発見された設備の損傷により工事などの対策が必要となった懸案件名２９を、設備別や要因別に分類して設備と関連付け、懸案の度合いを示す指標３０、対策優先度を示すランク３１などを保全データ２７上で一元管理する。
【００３１】
懸案件名２９毎に機器２０は特定でき、いくつかの指標３０、例えば、機器２０の重要度、地域・環境への影響度、経済的効果などといった事項を組合せて評価し、機器２０毎に対策順位を判定するランク３１を設定している。
【００３２】
例えば、懸案件名５は主機器＃２の本体＃２に関連付けて作成されている。懸案件名５の指標３０は、○○度は（３）、△△度はＢであり、この指標に基づいており評価判定を行い、ランク３１のＡ１の結果を懸案件名５へ反映させる。
【００３３】
このようにその懸案の度合いを指標３０を使って判定しランク３１によりランク付けすることで、その懸案や設備の対策優先度を測ることができる。また、ランク３１の内容から判断した優先順位の懸案件名２９から点検や工事の計画が効率的に立案できる。
【００３４】
図７は、作業件名管理部１８で保全データ格納部１２に格納された保全データ２７を管理する場合の別の他の一例の説明図である。作業件名管理部１８は、設備体系化管理部１７で階層化して体系化された設備体系化データ１９に保全データの作業実績や懸案データを関連づけて、設備機器や部位単位で作業件名に含まれる個別の作業内容毎に登録し、個別の作業内容の項目をキーとして管理する場合を示している。
【００３５】
作業件名管理部１８は、保全計画を策定する最小単位で作業件名管理データを管理する。作業件名管理データは、巡視・点検や懸案を紐付けた修繕工事や改良工事等により作成され、作業を特定するデータ項目である機器２０、業者２４、作業日２５、概算費用３２等で構成される。作業件名２３の入力情報は、保全管理部１３の点検管理機能を使って一元管理を行う。図７に示す作業件名１〜ｎでは、保全管理部１３の懸案管理にて対応が必要と判断された懸案を手動にて作業件名に紐付けし、作業件名管理データの作成時に紐付けた懸案の情報は自動で引き継がれる。また計画期間（点検工事の予定期間）及び実施期間（点検工事の実施期間）を日毎で設定・管理できる。
【００３６】
一つめの例としては、作業件名２３毎に持つ作業日を使って対象データを抽出し、「当該年度設備の作業費」といった形で並べることで、全体の概算費用３２や業者２４毎の概算費用を集計し、参照できるといった効果をもたらすことができる。
【００３７】
このように点検・工事計画機能により、ある工事の実施伺いをする単位でなく、その工事を構成する作業の作業一つ一つを作業件名管理部１８で管理して登録することによって、その工事の詳細内訳を作業件名単位に分割して把握できると共に、個別の作業毎の工程や業者２４、概算費用３２などを把握することを可能とし、工事件名と対応付けすることで一括の管理も可能である。
【００３８】
また、二つめの例としては、作業件名２３毎に持つ作業日２５を使って対象データを抽出し、「作業予定○○○電気所の本日の作業予定」といった形で並べることで、月単位や週単位およびの日単位で機器２０毎の業者２４や作業概要を参照できるといった効果をもたらすことができる。
【００３９】
このようにある設置箇所の各種の作業毎に、その作業予定や実績日を持たせることができることから、ある設置箇所の管理者は、その作業日２５を元に、その場所の本日の作業や、今月の作業などを一見して把握でき、予定に対する実績の状態認識なども即座に行うことができる。
【符号の説明】
【００４０】
１１…設備データ格納部、１２…保全データ格納部、１３…保全管理部、１４…工事データ格納部、１５…工事管理部、１６…工事件名管理部、１７…設備体系管理部、１８…作業件名管理部、１９…設備体系化データ、２０…機器、２１…第１階層部位、２２…第２階層部位、２３…作業件名、２４…業者、２５…作業日、２６…作業内容、２７…保全データ、２８…作業履歴一覧、２９…懸案件名、３０…指標、３１…ランク、３２…概算費用
【図１】
2011059756.tif 000003
【図２】
2011059756.tif 000004
【図３】
2011059756.tif 000005
【図４】
2011059756.tif 000006
【図５】
2011059756.tif 000007
【図６】
2011059756.tif 000008
【図７】
2011059756.tif 000009
【図８】
2011059756.tif 000010